(57)【要約】      （修正有）【課題】ツボまたは反射区を刺激する健康器具の提供。【解決手段】中心部に貫通した穴を有する複数の大球（１）（３）と、中心部に貫通した穴を有する大球（１）（３）と比べ直径の小さい複数の小球（２）（４）と、大球（１）（３）の穴とおよび小球（２）（４）の穴とを介して大球（１）（３）と小球（２）（４）とを固定する一本の紐（５）と、からなる六角形構造のツボ・反射区刺激器具であって、六角形構造の頂点は複数の大球（１）からなり、六角形構造の辺は、二つの前記小球（２）からなっており、かつ、六角形構造内部の中心部には、複数の小球（４）のみからなる六角形構造体を有し、複数の小球（４）のみからなる六角形構造体と六角形構造とは、複数の大球（３）を介して六角形構造の小球（２）と結び付けられている構造である健康器具。【選択図】図１
0003116316.tif 000002
【実用新案登録請求の範囲】
【請求項１】
中心部に貫通した穴を有する複数の大球（１）（３）と、中心部に貫通した穴を有する前記大球（１）（３）と比べ直径の小さい複数の小球（２）（４）と、前記大球（１）（３）の前記穴とおよび前記小球（２）（４）の前記穴とを介して前記大球（１）（３）と前記小球（２）（４）とを固定する一本の紐（５）と、からなる六角形構造のツボ・反射区刺激器具であって、前記六角形構造の頂点は前記複数の大球（１）からなり、前記六角形構造の辺は、二つの前記小球（２）からなっており、かつ、前記六角形構造内部の中心部には、前記複数の小球（４）のみからなる六角形構造体を有し、前記複数の小球（４）のみからなる六角形構造体と前記六角形構造とは、前記複数の大球（３）を介して前記六角形構造の前記小球（２）と結び付けられている構造であることを特徴とするツボ・反射区刺激器具。
【考案の詳細な説明】
【技術分野】
【０００１】
本考案は、ツボまたは反射区を刺激する健康器具に関する。
【背景技術】
【０００２】
東洋医学によれば、ツボや反射区が身体の表面の各部に分散して存在しており、これらは、人体に神経、血管、リンパ管と同様に張り巡らされている経絡を介してそれぞれ特定の内臓と関係していることが知られている。
【０００３】
これらの経絡のうち、手腕部に存在するツボや反射区と各内臓を関係づけている経絡は、肺経、大腸経、心経、小腸経、心包経、三焦経の６つであり、足部に存在するツボや反射区と各内臓を関係付けている経絡は、胃経、脾経、膀胱経、腎経、胆経、肝経の６つである。
【０００４】
現在では、所定の内臓と関係しているツボや反射区を揉んだり叩いたりして機械的な刺激を加えたり、鍼灸や低周波の電気パルスで刺激することにより、その内臓の機能を活性化したり、機能障害を取り除いたりする治療が行われている。
【考案の開示】
【考案が解決しようとする課題】
【０００５】
しかし、鍼灸や電気パルスによる刺激は、専門的な知識を必要とし、患者が手軽に鍼灸等を行なうことは困難であるといった問題があった。
【０００６】
本考案は上述した問題点を解決するためになされたものであり、本考案の目的は、手軽にツボや反射区を刺激することができるツボ・反射区刺激器具を提供することを目的とする。
【課題を解決するための手段】
【０００７】
本考案は、手軽にツボや反射区を刺激することができるツボ・反射区刺激器具を提供することを目的とし、本考案の上記目的は、中心部に貫通した穴を有する複数の大球と、中心部に貫通した穴を有する大球と比べ直径の小さい複数の小球と、大球の穴とおよび小球の穴とを介して大球と小球とを固定する一本の紐と、からなる六角形構造のツボ・反射区刺激器具であって、六角形構造の頂点は複数の大球からなり、六角形構造の辺は、二つの小球からなっており、かつ、六角形構造内部の中心部には、複数の小球のみからなる六角形構造体を有し、複数の小球のみからなる六角形構造体と六角形構造とは、複数の大球を介して六角形構造の小球と結び付けられている構造であることによって達成される。
【考案の効果】
【０００８】
本考案のツボ・反射区刺激器具によれば、手軽にツボや反射区を刺激することができるようになった。本考案のツボ・反射区刺激器具により、手や足等を刺激することにより、冷え性、認知症、不眠症および偏頭痛等の症状を改善することができるようになった。
【考案を実施するための最良の形態】
【０００９】
本考案のツボ・反射区刺激器具は、中心部に貫通した穴を有する複数の大球と、中心部に貫通した穴を有する大球と比べ直径の小さい複数の小球と、大球の穴とおよび小球の穴とを介して大球と小球とを固定する一本の紐と、からなる六角形構造のツボ・反射区刺激器具であって、六角形構造の頂点は複数の大球からなり、六角形構造の辺は、二つの小球からなっており、かつ、六角形構造内部の中心部には、複数の小球のみからなる六角形構造体を有し、複数の小球のみからなる六角形構造体と六角形構造とは、複数の大球を介して六角形構造の小球と結び付けられている構造であることを特徴とする。以下、図面を参照にしながら、本考案のツボ・反射区刺激器具について詳細に説明する。なお、本考案はこれらに限定される趣旨のものではない。
【００１０】
図１は、本考案のツボ・反射区刺激器具の平面図である。本考案のツボ・反射区刺激器具は、中心部に貫通した穴を有する大球１および大球３と、中心部に貫通した穴を有する大球１、３と比べ直径が小さい小球２および小球４を有し、これらの穴は、紐５を通すためであり、本考案のツボ・反射区刺激器具は、大球１、３の穴とおよび小球２、４の穴とを介して一本の紐５で固定されている。
【００１１】
本考案のツボ・反射区刺激器具は六角形構造となっており、頂点が大球１、辺の部分が二つの小球２からなる。すなわち、本考案のツボ・反射区刺激器具の外周は、６個の大球１と１２個の小球２とからなる六角形構造を有する。
【００１２】
本考案のツボ・反射区刺激器具の中心部には、小球４のみからなる六角形構造体を有し、この六角形構造体と外周の六角形構造とは、大球３を介して紐５で結び付けられている（接続されている）。
【００１３】
大球１、３および小球２、４の構成材料は、遠赤外線効果やマイナスイオンを発生させたり、コストの面等から、桜、カバ、樫、フクラソウ等の生成を使用することが好ましい。
【００１４】
大球１、３の直径は、１３〜１５ｍｍであることが好ましい。直径が１３ｍｍ以下であると、手足のツボや反射区を効率よく刺激することができない。また、直径が１５ｍｍを超えると、大球１、３を掌等で本考案のツボ・反射区刺激器具を回転させることができなくなり、効率よくツボや反射区を刺激することができなくなる。
【００１５】
小球２、４の直径は、９〜１１ｍｍであることが好ましい。直径が９ｍｍ以下であると、大球１、３に比べて小球２、４の直径が小さくなりすぎ、小球２、４で手足のツボや反射区を刺激し難くなり、ツボや反射区を効率よく刺激することができない。また、直径が１１ｍｍを超えると、大球１、３を掌等で本考案のツボ・反射区刺激器具を回転させることができなくなり、効率よくツボや反射区を刺激することができなくなる。
【００１６】
紐５の原料は、アクリル製の紐等伸縮性に富む素材からなるものを選択することが好ましい。伸縮性がない場合、大球１、３および小球２、４を掌等で回転させてツボや反射区を刺激する際、紐５が切断されてしまう可能性がある。
【００１７】
また、紐５は、図１に示すように、外周の六角形構造の結び目より長めに設定されている。紐５を長めにすることにより、大球１、３および小球２、４の固定具合等を調節することができる。
【００１８】
次に、本考案のツボ・反射区刺激器具の製造方法について図面を参照にしながら詳細に説明する。
【００１９】
図２（Ａ）〜（Ｆ）は、本考案のツボ・反射区刺激器具の製造方法を順に示した図である。なお、説明の便宜上、紐５は、破線で示している。
【００２０】
図２（Ａ）に示すように、大球１、３および小球２、４を交互に紐５に通す。二つある大球３のうち、一つの大球３の穴に紐５を交差させる。
【００２１】
紐５を穴に交差させた大球３の隣に、小球２、４を紐５に通し、さらに大球１小球２を通し、大球３の穴に紐５を交差させる（図２（Ｂ））。
【００２２】
図２（Ｂ）と同様に、大球１、３および小球２、４を交互に紐５に通し、大球３の穴で紐５を交差させる（図２（Ｃ）、（Ｄ）、（Ｅ））。すなわち、図２（Ａ）〜（Ｅ）まで紐５を大球３の穴で交差させる手順を計５回行なう。
【００２３】
上述した手順で５回紐５を大球３の穴で交差させた後、図２（Ａ）でまだ紐５を交差させていない大球３に紐５をさらに通す。紐５を大球３に通した後、小球２、大球１および小球２を交互に入れ、紐５を結ぶことにより、図１に示すような本考案のツボ・反射区刺激器具を製造することができる。
【図面の簡単な説明】
【００２４】
【図１】本考案のツボ・反射区刺激器具の構造を示した平面図である。
【図２（Ａ）】本考案のツボ・反射区刺激器具の製造方法を示した図である。
【図２（Ｂ）】本考案のツボ・反射区刺激器具の製造方法を示した図である。
【図２（Ｃ）】本考案のツボ・反射区刺激器具の製造方法を示した図である。
【図２（Ｄ）】本考案のツボ・反射区刺激器具の製造方法を示した図である。
【図２（Ｅ）】本考案のツボ・反射区刺激器具の製造方法を示した図である。
【図２（Ｆ）】本考案のツボ・反射区刺激器具の製造方法を示した図である。
【符号の説明】
【００２５】
１      大球
２      小球
３      大球
４      小球
５      紐
【図１】
0003116316.tif 000003
【図２（Ａ）】
0003116316.tif 000004
【図２（Ｂ）】
0003116316.tif 000005
【図２（Ｃ）】
0003116316.tif 000006
【図２（Ｄ）】
0003116316.tif 000007
【図２（Ｅ）】
0003116316.tif 000008
【図２（Ｆ）】
0003116316.tif 000009